(57)【要約】【課題】美感を確保可能な建具を得る。【解決手段】戸先側枠１３０は、第１の建具枠１３１と、第１の支持部材１４１と、第１の額縁１５１と、防火金具１５５と、連結ネジ１５８とを主に備える。第１の支持部材１４１は、円筒穴１４１ｃ、テーパ穴１４１ｄ、ねじ穴１４１ｅを備える。円筒穴１４１ｃに支持部材固定ネジ１４１ｇが各々挿入され、ねじ穴１３３ｂと螺合する。これにより、第１の支持部材１４１が第１の室内側建具枠１３３に固定される。第１の額縁１５１は、鉛直方向に延びる部材であって、水平断面において矩形を成す室内側額縁１５１ａと、室内側額縁１５１ａから室外側に向かって延びるパネル部１５１ｂとを備える。パネル部１５１ｂはテーパ穴１５１ｃを備える。テーパ穴１５１ｃに連結ネジ１５８が挿入され、ねじ穴１４１ｅと螺合する。これにより、第１の建具枠１３１と、第１の支持部材１４１と、第１の額縁１５１とが柱１０に固定される。【選択図】図３
2019031775.tif 000002
【特許請求の範囲】
【請求項１】
建築物の開口に取り付けられる建具枠と、
前記建具枠の室内側から室内に向かって延びる額縁とを備え、
前記建具枠は、前記建具枠の室内側から前記額縁と前記開口との間に突出する支持部材を備え、
前記額縁は、前記支持部材に前記額縁を固定する連結部材を備える建具。
【請求項２】
前記連結部材は、前記額縁と前記支持部材とを固定する連結ネジを備える請求項１に記載の建具。
【請求項３】
前記連結部材は、前記支持部材に係合する連結バネを備える請求項１又は２に記載の建具。
【請求項４】
前記支持部材は、前記建具枠と別体であって、前記支持部材を前記建具枠に固定する支持部材固定ネジを備える請求項１から３のいずれかに記載の建具。
【請求項５】
前記支持部材を前記開口に固定する見込みネジをさらに備え、前記支持部材は前記建具枠と一体に形成される請求項１から４のいずれかに記載の建具。
【請求項６】
前記建具枠に取り付けられる防火金具と、前記防火金具を前記開口に固定する見込みネジとをさらに備える請求項４又は５に記載の建具。
【発明の詳細な説明】
【技術分野】
【０００１】
本発明は、建築物に取り付けられる建具に関する。
【背景技術】
【０００２】
従来、上下の横枠と左右の縦枠を矩形に連結して構成される住宅用サッシ枠等の建具が知られている。建具の縦枠は、縦部材と、縦部材に取り付けられて室内側に延びる取付金具とを備える。取付金具は、外壁を支持するアングル材に接続部材を介して接続され、これにより建具が外壁に固定される。また、取付金具において室内側に延びる部位には、樹脂形材がネジにより固定される。樹脂形材は室内側に延び、額縁にネジを介して固定される（特許文献１参照）。
【先行技術文献】
【特許文献】
【０００３】
【特許文献１】特開２００６−７０６０６号公報
【発明の概要】
【発明が解決しようとする課題】
【０００４】
ところで、樹脂形材を取付金具及び額縁に固定するネジは、左右の縦枠の長手方向に複数並んで設けられ、建具の外部に露出するため、人の目にとまる可能性が高い。これら複数のネジが人の目にとまると、建具の美感が低下するおそれがある。
【０００５】
本発明はこのような課題に鑑みてなされたものであり、美感を確保可能な建具を得ることを目的とする。
【課題を解決するための手段】
【０００６】
本願発明による建具は、建築物の開口に取り付けられる建具枠と、建具枠の室内側から室内に向かって延びる額縁とを備え、建具枠は、建具枠の室内側から額縁と開口との間に突出する支持部材を備え、額縁は、支持部材に額縁を固定する連結部材を備えることを特徴とする。
【０００７】
連結部材は、額縁と支持部材とを固定する連結ネジを備えることが好ましい。あるいは、連結部材は、支持部材に係合する連結バネを備えてもよい。
【０００８】
支持部材は、建具枠と別体であって、支持部材を建具枠に固定する支持部材固定ネジを備えることが好ましい。あるいは、支持部材を開口に固定する見込みネジをさらに備え、支持部材は建具枠と一体に形成されてもよい。また、建具枠に取り付けられる防火金具と、防火金具を開口に固定する見込みネジとをさらに備えてもよい。
【発明の効果】
【０００９】
本発明によれば、美感を確保可能な建具が提供される。
【図面の簡単な説明】
【００１０】
【図１】建具の正面図である。
【図２】図１のＩＩ−ＩＩ線における建具の断面図である。
【図３】図２における戸先側枠の断面図である。
【図４】図１のＩＩ−ＩＩ線における第２の実施形態による建具の断面図である。
【図５】図４における戸先側枠の断面図である。
【図６】図１のＩＩ−ＩＩ線における第３の実施形態による建具の断面図である。
【図７】図６における戸先側枠の断面図である。
【符号の説明】
【００１１】
１０  柱
１１  内装下地材
１２  外壁材
１３  外側かいもの
１４  側方かいもの
１００  建具
１１０  上枠
１２０  下枠
１３０  戸先側枠
１３１  第１の建具枠
１４１  第１の支持部材
１５１  第１の額縁
１５５  防火金具
１５８  連結ネジ
１６０  吊元側枠
１９０  ドアパネル
【発明を実施するための形態】
【００１２】
本発明の第１の実施形態による建具１００について図１から図３を用いて説明する。図１を参照すると、建具１００は建築物の開口に取り付けられる。以下、本明細書において、建築物に取り付けられている状態において鉛直方向に沿う長さを高さ、建築物の外壁面と平行かつ水平方向に沿う長さを幅、建築物の外壁面と直角かつ水平方向に沿う長さを厚さという。
【００１３】
図１は、建具１００を室外側から見た図である。建具１００は、上枠１１０と、下枠１２０と、戸先側枠１３０と、吊元側枠１６０と、ドアパネル１９０とを主に備える。上枠１１及び下枠１２は水平方向に延び、戸先側枠１３０及び吊元側枠１４０は鉛直方向に延びる。上枠１１０の両端は、戸先側枠１３０及び吊元側枠１４０の鉛直方向上方の端部に接続され、下枠１２０の両端は、戸先側枠１３０及び吊元側枠１４０の鉛直方向下方の端部に接続され、これにより矩形のドア枠を形成する。ドアパネル１９０は、ヒンジ１９１を介して回動自在に吊元側枠１６０に取り付けられる。
【００１４】
図２を用いて、戸先側枠１３０及び吊元側枠１６０と建築物の開口との接続構造について説明する。なお、説明のため、図２は戸先側枠１３０として非防火構造を有する縦枠を示し、吊元側枠１６０として防火構造を有する縦枠を示すが、実際の建具は、戸先側枠１３０及び吊元側枠１６０の両方が非防火構造を採用、あるいは防火構造を採用することが好ましい。
【００１５】
建築物は木造であって、木から成る２本の柱１０と、石膏ボード又は合板から成る内装下地材１１及び外壁材１２と、木から成る外側かいもの１３及び側方かいもの１４とを主に備える。２本の柱１０は、所定の間隔を空けて、建築物の鉛直方向に延びる。２本の柱１０の鉛直下方端部付近には、図示されない木から成るまぐさが２本の柱１０どうしを接続するように取り付けられ、このまぐさから鉛直上方に所定間隔を空けて、同様のまぐさが２本の柱１０を接続するように取り付けられる。２本の柱１０と２本のまぐさが建築物の開口を形成する。柱１０の室内側には、内装下地材１１が取り付けられ、柱１０の室外側には、下張材等を介して外装材１２が取り付けられる。
【００１６】
図３を用いて戸先側枠１３０について説明する。図３は、図２に示される戸先側枠１３０の断面図を拡大した図である。戸先側枠１３０は、第１の建具枠１３１と、第１の支持部材１４１と、第１の額縁１５１と、防火金具１５５と、連結ネジ１５８とを主に備える。
【００１７】
第１の建具枠１３１は、各々アルミ押出材から成る第１の室外側建具枠１３２及び第１の室内側建具枠１３３と、断熱樹脂材１３４とを主に備える。
【００１８】
第１の室外側建具枠１３２は、鉛直方向に延びる管状の部材であって、水平断面において略矩形の断面を成し、室外側の一角が内側に凹んで成る室外側枠凹部１３２ａと、建築物の外壁材１２に沿って延びる枠支持板１３２ｂとを備える。室内側枠凹部１３２ａ及び枠支持板１３２ｂは、第１の室外側建具枠１３２の鉛直方向全長に渡って延びる。枠支持板１３２ｂには、円錐台形の側面を持つテーパ穴１３２ｃが鉛直方向に等間隔で設けられる。外壁材１２側からテーパ穴１３２ｃに固定ネジ１５７が挿入され、外側かいもの１３を貫通して、柱１０までねじ込まれる。
【００１９】
第１の室内側建具枠１３３は、鉛直方向に延びる部材であって、水平断面において柱１０に向かって開口するコの字形状を成す。また、第１の室内側建具枠１３３は、室外側の一角が内側に凹んで成る室内側枠凹部１３３ａを備える。室内側枠凹部１３３ａは、第１の室内側建具枠１３３の鉛直方向全長に渡って延びる。第１の室内側建具枠１３３において、室内側の側面には、複数のねじ穴１３３ｂが鉛直方向に等間隔で設けられる。室外側枠凹部１３２ａと室内側枠凹部１３３ａには、それらの全長に渡って断熱樹脂材１３４が嵌合し、取り付けられる。断熱樹脂材１３４は、第１の室外側建具枠１３２と第１の室内側建具枠１３３との間を断熱する。これらの構成により、第１の室外側建具枠１３２と第１の室内側建具枠１３３とが互いに熱を伝えずに固定される。なお、第１の室外側建具枠１３２、断熱樹脂材１３４、及び第１の室内側建具枠１３３によって形成される、ドアパネル１９０側に位置する面は、平面を成す。
【００２０】
第１の支持部材１４１は、鉛直方向に延びる部材であって、水平断面においてＬ字形状を成す。Ｌ字形状の短辺１４１ａには、複数の円筒穴１４１ｃが鉛直方向に等間隔で設けられる。Ｌ字形状の長辺１４１ｂには、円錐台形の側面を持つテーパ穴１４１ｄと円筒形の側面を持つねじ穴１４１ｅとが、鉛直方向に等間隔で交互に設けられる。Ｌ字形状の内角側から複数の円筒穴１４１ｃに複数の支持部材固定ネジ１４１ｇが各々挿入され、ねじ穴１３３ｂと螺合する。支持部材固定ネジ１４１ｇは、例えばタッピングビスである。これにより、第１の支持部材１４１が第１の室内側建具枠１３３に固定される。第１の支持部材１４１は、第１の室内側建具枠１３３においてドアパネル１９０に対向する面よりも、わずかに窪んだ位置に取り付けられる。
【００２１】
防火金具１５５は、鉛直方向に延びる部材であって、水平断面においてＬ字形状を成す。Ｌ字形状の内角は９０度未満、すなわち鋭角を成す。Ｌ字形状の長辺１５５ｂには、円筒形の側面を持ち、かつ長辺１５５ｂの厚さ方向に貫通する円筒穴１５５ｃが、テーパ穴１４１ｄ同軸となるような位置であって、かつ鉛直方向に複数設けられる。円筒穴１５５ｃの内側面は、実質的に平滑な曲面であって、雌ねじが切られない。Ｌ字形状の短辺１５５ａは、第１の室外側建具枠１３２の室内側の外側面に溶接される。ドアパネル１９０側からテーパ穴１４１ｄに見込みネジ１５９が挿入される。見込みネジ１５９は、円筒穴１５５ｃ及び側方かいもの１４を貫通して、柱１０までねじ込まれる。見込みネジ１５９は、例えばタッピングビスである。第１の支持部材１４１と見込みネジ１５９、及び枠支持板１３２ｂと固定ネジ１５７の働きにより、第１の建具枠１３１と第１の支持部材１４１と防火金具１５５とが柱１０に固定される。火災が発生したとき、第１の室外側建具枠１３２又は第１の室内側建具枠１３３から伝わる火災による熱によって、断熱樹脂材１３４が溶けるおそれがある。しかしながら、断熱樹脂材１３４が溶けても、防火金具１５５が、第１の支持部材１４１、及び第１の室内側建具枠１３３を柱１０に固定し続けるため、これらの部材が火災により柱１０から外れることがない。
【００２２】
第１の額縁１５１は、鉛直方向に延びる部材であって、水平断面において矩形を成す室内側額縁１５１ａと、室内側額縁１５１ａから室外側に向かって延びるパネル部１５１ｂとを備える。パネル部１５１ｂの先端はわずかに屈曲しており、この屈曲した先端が第１の室内側建具枠１３３の室内側側面に突き当たる。パネル部１５１ｂには、円錐台形の側面を持ち、パネル部１５１ｂの厚さ方向に貫通するテーパ穴１５１ｃが、鉛直方向に等間隔で設けられる。ドアパネル１９０側からテーパ穴１５１ｃに連結ネジ１５８が挿入され、ねじ穴１４１ｅと螺合する。これにより、第１の額縁１５１が第１の支持部材１４１に固定される。
【００２３】
以上の構成により、第１の建具枠１３１と、第１の支持部材１４１と、第１の額縁１５１とが柱１０に固定される。
【００２４】
従来、建具枠を柱１０に固定するネジと、額縁を柱１０に固定するネジとは、別々に居住空間に露出するように設けられており、これらのネジが建具の美感を損ねていた。しかしながら、本実施形態によれば、第１の室内側建具枠１３３及び第１の支持部材１４１を柱１０に固定する見込みネジ１５９を第１の額縁１５１で覆い、第１の額縁１５１を連結ネジ１５８で第１の支持部材１４１に固定する。これにより、居住空間に露出するネジの数が減少し、建具の美感を向上させることができる。
【００２５】
さらに、連結ネジ１５８は第１の額縁１５１のみを第１の室内側建具枠１３３及び第１の支持部材１４１に固定するのに対し、見込みネジ１５９は戸先側枠１３０全体を柱１０に固定する。第１の額縁１５１の重量は戸先側枠１３０全体の重量よりも軽いため、連結ネジ１５８の耐荷重は、見込みネジ１５９の耐荷重よりも小さくて済む。そのため、連結ネジ１５８の数及び大きさは、見込みネジ１５９の数及び大きさよりも少なくかつ小さい。よって、連結ネジ１５８が建具の美感に与える影響は見込みネジ１５９のそれよりも小さく、見込みネジ１５９が居住空間に露出しないことにより、建具の美感を向上させることができる。
【００２６】
図２を用いて吊元側枠１６０について説明する。戸先側枠１３０と同様の構成については、同じ符号を付して説明を省略する。吊元側枠１６０は、第２の建具枠１６１と、第２の支持部材１７１と、第２の額縁１８１と、見込みネジ１５９とを主に備え、防火金具１５５に相当するものを備えない。第２の建具枠１６１、第２の支持部材１７１、及び第２の額縁１８１は、ドアパネル１９０を水平方向において二等分する面、すなわちドアパネル１９０に対して直角かつ鉛直方向に平行な平面に対して、第１の建具枠１３１、第１の支持部材１４１、及び第１の額縁１５１と各々対称な形状を有し、かつ対称な位置に設けられる。よって、説明を省略する。
【００２７】
本実施形態によれば、居住空間に露出するネジの数が減少し、建具の美感を向上させることができる。
【００２８】
次に、第２の実施形態による建具２００について図４及び５を用いて説明する。第１の実施形態と同様の構成については、同じ符号を付して説明を省略する。建具２００は、上枠１１０と、下枠１２０と、戸先側枠２３０と、吊元側枠２６０と、ドアパネル１９０とを主に備える。
【００２９】
図４は、図１のＩＩ−ＩＩ線と同じ位置における建具の断面図であって、戸先側枠２３０及び吊元側枠２６０と建築物の開口との接続構造を示す。説明のため、図４は戸先側枠２３０として非防火構造を有した縦枠を示し、吊元側枠２６０として防火構造を有した縦枠を示すが、実際の建具は、戸先側枠２３０及び吊元側枠２６０の両方が非防火構造を採用、あるいは防火構造を採用することが好ましい。
【００３０】
図５を用いて戸先側枠２３０について詳細に説明する。図５は、図４に示される戸先側枠２３０の断面図を拡大した図である。戸先側枠２３０は、第１の建具枠１３１と、第１の支持部材１４１と、第３の額縁２５１と、防火金具１５５と、連結バネ２５２とを主に備える。第１の建具枠１３１、第１の支持部材１４１、及び防火金具１５５の構成は第１の実施形態と同様であるため、説明を省略する。
【００３１】
第１の支持部材１４１の長辺１４１ｂの先端は、長辺１４１ｂに対して直角かつ短辺１４１ａが延びる方向と同じ方向にわずかに突出する支持フック１４１ｆを備える。
【００３２】
第３の額縁２５１は、鉛直方向に延びる部材であって、水平断面において矩形を成す室内側額縁２５１ａと、室内側額縁２５１ａから室外側に向かって延びるパネル部２５１ｂとを備える。パネル部１５１ｂの先端はわずかに屈曲しており、この屈曲した先端が第１の室内側建具枠１３３の室内側側面に突き当たる。
【００３３】
パネル部２５１ｂにおいて柱１０と対向する面に、突起２５１ｄとビス受け２５１ｃが設けられる。突起２５１ｄは、パネル部２５１ｂから直角に突出し、かつパネル部２５１ｂの鉛直方向全長に渡って設けられる。ビス受け２５１ｃは、円錐台筒形状の内側面を有し、その開口部に、円周方向全周に渡って設けられるリブを備え、パネル部２５１ｂの鉛直方向に等間隔で設けられる。
【００３４】
連結バネ２５２は、矩形の鋼板を折り曲げて成る板状バネである。その先端２５２ａは、鋭角を成すように曲げられ、他端２５２ｃ付近は平面を成す。先端２５２ａと他端２５２ｃとの間は、コの字状の断面を成すように曲げられる。これにより、連結バネ２５２は、図５に示される断面において柄杓状の断面を有する。他端２５２ｃ付近の平面には、厚さ方向に開口する円筒穴２５２ｄが空けられる。連結バネ２５２は、ビス受け２５１ｃ及び固定ネジ２５３を介して、第３の額縁２５１に取り付けられる。より詳細には、円筒穴２５２ｄに挿入された固定ネジ２５３が、ビス受け２５１ｃに挿入されて螺合する。他端２５２ｃ付近の平面はビス受け２５１ｃのリブと係合する。これらの構造により、連結バネ２５２が第３の額縁２５１に取り付けられる。
【００３５】
次に、第３の額縁２５１を、第１の建具枠１３１及び第１の支持部材１４１に取り付ける手段について説明する。ここでは、第１の建具枠１３１に第１の支持部材１４１が予め取り付けられているものとして説明する。パネル部２５１ｂの先端を第１の支持部材１４１の長辺１４１ｂに沿わせるように、室内側から室外側へ向けて第３の額縁２５１を押し進めると、連結バネ２５２の先端２５２ａが支持フック１４１ｆに突き当たる。突き当たることにより生じる反力に抗してさらに第３の額縁２５１を押し進めると、先端２５２ａが支持フック１４１ｆを乗り越えて、長辺１４１ｂと接触する位置まで移動する。この状態において、突起２５１ｄと先端２５２ａとの間に支持フック１４１ｆが保持され、これにより、第３の額縁２５１は、室内側から室外側へ、あるいはその反対方向への移動が制限され、第３の額縁２５１が第１の建具枠１３１及び第１の支持部材１４１に取り付けられる。
【００３６】
従来、建具枠を柱１０に固定するネジと、額縁を柱１０に固定するネジとは、別々に居住空間に露出するように設けられており、これらのネジが建具の美感を損ねていた。しかしながら、本実施形態によれば、第１の室内側建具枠１３３を柱１０に固定する見込みネジ１５９を第３の額縁２５１で覆い、第３の額縁２５１を連結バネ２５２で第１の支持部材１４１に固定する。これにより、居住空間に露出するネジが無くなり、建具の美感を向上させることができる。また、パネル部２５１ｂを第１の支持部材１４１に沿わせるように第３の額縁２５１を押し進めるのみで、第３の額縁２５１を第１の建具枠１３１及び第１の支持部材１４１に取り付けることができるため、第３の額縁２５１の取り付けが短時間かつ容易になる。
【００３７】
次に、第３の実施形態による建具３００について図６及び７を用いて説明する。第１及び第２の実施形態と同様の構成については、同じ符号を付して説明を省略する。建具３００は、上枠１１０と、下枠１２０と、戸先側枠３３０と、吊元側枠３６０と、ドアパネル１９０とを主に備える。
【００３８】
図６は、図１のＩＩ−ＩＩ線と同じ位置における建具の断面図であって、戸先側枠３３０及び吊元側枠３６０と建築物の開口との接続構造を示す。説明のため、図６は戸先側枠３３０として非防火構造を有した縦枠を示し、吊元側枠３６０として防火構造を有した縦枠を示すが、実際の建具は、戸先側枠３３０及び吊元側枠３６０の両方が非防火構造を採用、あるいは防火構造を採用することが好ましい。
【００３９】
図７を用いて戸先側枠３３０について詳細に説明する。図７は、図６に示される戸先側枠３３０の断面図を拡大した図である。戸先側枠３３０は、第３の建具枠３３１と、第３の支持部材３４１と、第１の額縁１５１と、防火金具と、連結ネジ１５８とを主に備える。第１の額縁１５１及び防火金具１５５の構成は第１の実施形態と同様であるため、説明を省略する。
【００４０】
第３の建具枠３３１は、各々アルミ押出材から成る第３の室外側建具枠３３２及び第３の室内側建具枠３３３と、断熱樹脂材１３４とを主に備える。第３の室外側建具枠３３２は、第１の室外側建具枠１３２と同様の構成を備えるため、説明を省略する。
【００４１】
第３の室内側建具枠３３３は、鉛直方向に延びる部材であって、水平断面において柱１０に向かって開口するコの字形状を成す。また、第３の室内側建具枠３３３は、室外側の一角が内側に凹んで成る室内側枠凹部１３３ａを備える。室内側枠凹部１３３ａは、第１の室内側建具枠１３３の鉛直方向全長に渡って延びる。第３の室内側建具枠３３３において室内側の側面から直角に、板状の支持板３４１が突出する。支持板３４１は、第３の室内側建具枠３３３の鉛直方向全長に渡って設けられる。支持板３４１には、円錐台形の側面を持つテーパ穴３４１ｄと円筒形の側面を持つねじ穴３４１ｅとが、鉛直方向に等間隔で交互に設けられる。
【００４２】
ドアパネル１９０側からテーパ穴３４１ｄに見込みネジ１５９が挿入される。見込みネジ１５９は円筒穴１５５ｃ及び側方かいもの１４を貫通して、柱１０までねじ込まれる。支持板３４１と見込みネジ１５９、及び枠支持板１３２ｂと固定ネジ１５７の働きにより、第３の建具枠３３１と防火金具１５５とが柱１０に固定される。ドアパネル１９０側からテーパ穴１５１ｃに連結ネジ１５８が挿入され、ねじ穴３４１ｅと螺合することにより、第１の額縁１５１が第３の室内側建具枠３３３に固定される。以上の構成により、第３の建具枠３３１と第１の額縁１５１とが固定される。
【００４３】
図６を用いて吊元側枠３６０について説明する。吊元側枠１６０及び戸先側枠３３０と同様の構成については、同じ符号を付して説明を省略する。吊元側枠３６０は、第４の建具枠３６１と、第２の額縁１８１と、連結ネジ１５８とを主に備え、防火金具１５５に相当するものを備えない。第４の建具枠３６１は、ドアパネル１９０を水平方向において二等分する面、すなわちドアパネル１９０に対して直角かつ鉛直方向に平行な平面に対して、第３の建具枠３３１と対称な形状を有し、かつ対称な位置に設けられる。よって、説明を省略する。
【００４４】
本実施形態によれば、少ない部品点数で、第１の居住空間に露出するネジの数を抑え、建具の美感を向上させることができる。
【００４５】
なお、建具１００はドアパネル１９０を備えるとして説明したが、ドアパネル１９０の代わりに、窓等を取り付けてもよい。
【００４６】
なお、建具１００は建築物の木造壁に取り付けられるとして説明したが、ＡＬＣ造又はＲＣ造等、他の材料から成る壁に取り付けられてもよい。この場合、建具１００と各々の材料とを接続するに適した金物が用いられる。
【００４７】
なお、本明細書および図中に示した各部材の大きさは例示であって、これらの大きさに限定されない。また、各部材の素材は例示であって、これらの素材に限定されない。ここに付随する図面を参照して本発明の実施形態が説明されたが、記載された発明の範囲と精神から逸脱することなく、変形が各部の構造と関係に施されることは、当業者にとって自明である。
【図１】
2019031775.tif 000003
【図２】
2019031775.tif 000004
【図３】
2019031775.tif 000005
【図４】
2019031775.tif 000006
【図５】
2019031775.tif 000007
【図６】
2019031775.tif 000008
【図７】
2019031775.tif 000009